(57)【特許請求の範囲】
【請求項１】
枠体と、枠体に納めた障子と、レールと、スライドプレートと、摺接部材を備え、枠体と障子の対向する面の一方に、レールを設けてあり、スライドプレートに摺接部材を取り付けてあって、摺接部材をレールに摺接させてスライドプレートをレールに摺動自在に納めてあり、摺接部材は、本体部と、本体部の表側に係脱自在に設けた表面側部を有し、本体部と表面側部で挿通部を形成しており、本体部と表面側部の一方に係合部を設けてあり、スライドプレートに被係合部を設けてあって、摺接部材の挿通部にスライドプレートを挿入してあり、摺接部材の係合部をスライドプレートの被係合部に係合させてあることを特徴とするサッシ。
【発明の詳細な説明】
【技術分野】
【０００１】
本発明は、縦すべり出し窓の錠装置など、枠体と障子の対向する面の一方に設けたレールと、レールを摺動するスライドプレートを備える機構を有するサッシに関する。
【背景技術】
【０００２】
従来、縦すべり出し窓においては、特許文献１に示すような錠装置が用いられていた。この錠装置は、障子の戸先框と、障子を納める枠体の縦枠とにわたって取り付けられるものであり、戸先框に杆体を摺動自在に設けてあって、杆体に設けた錠が、縦枠に設けた錠受に係脱して施錠及び解錠するものである。
【先行技術文献】
【特許文献】
【０００３】
【特許文献１】特開２００５−２５６３８６号公報
【発明の概要】
【発明が解決しようとする課題】
【０００４】
しかしながら、このような従来の錠装置は、繰り返し使用するうちに、杆体が戸先框に摺接して摩耗し、滑りが悪くなるという問題点があった。
【０００５】
本発明は、上記事情を鑑みたものであり、枠体と障子の対向する面の一方に設けたレールと、レールを摺動するスライドプレートを備え、スライドプレートが摩耗することを防いだサッシを提供することを目的とする。
【課題を解決するための手段】
【０００６】
本発明は、枠体と、枠体に納めた障子と、レールと、スライドプレートと、摺接部材を備え、枠体と障子の対向する面の一方に、レールを設けてあり、スライドプレートに摺接部材を取り付けてあって、摺接部材をレールに摺接させてスライドプレートをレールに摺動自在に納めてあり、摺接部材は、本体部と、本体部の表側に係脱自在に設けた表面側部を有し、本体部と表面側部で挿通部を形成しており、本体部と表面側部の一方に係合部を設けてあり、スライドプレートに被係合部を設けてあって、摺接部材の挿通部にスライドプレートを挿入してあり、摺接部材の係合部をスライドプレートの被係合部に係合させてあることを特徴とする。
【発明の効果】
【０００７】
本発明によれば、スライドプレートが摺接部材を介してレールに摺接しており、摺接部材が摩耗しても、適宜交換して常に滑りが良い状態を維持できる。また、摺接部材は、係合部をスライドプレートの被係合部に係合させるだけで容易に取付可能である。
【図面の簡単な説明】
【０００８】
【図１】サッシの第一実施形態におけるレール及びスライドプレート部分の斜視図である。
【図２】（ａ）〜（ｃ）は、第一実施形態の摺接部材の三面図である。
【図３】サッシの第一実施形態の縦断面図である。
【図４】サッシの第一実施形態の横断面図である。
【図５】サッシの第一実施形態におけるレール及びスライドプレート部分の正面図である。
【図６】（ａ）〜（ｄ）は、第一実施形態の摺接部材の取付方法の説明図である。
【図７】（ａ）〜（ｄ）は、第二実施形態の摺接部材の四面図である。
【図８】（ａ）〜（ｄ）は、第二実施形態の摺接部材の取付方法の説明図である。
【図９】第三実施形態の摺接部材を示し、（ａ）は上面図、（ｂ）及び（ｃ）は取付方法の説明図である。
【発明を実施するための形態】
【０００９】
以下、本発明の実施の形態を図面に基づいて説明する。ただし、以下における左右とは、図４における左右を示す。このサッシの第一実施形態は、建築物の外壁部に設置される縦すべり出し窓であって、図３及び図４に示すように、アルミ製の押出形材からなる左右の縦枠１１及び上下の横枠１２を四周枠組みした枠体１の内周部に、障子２を開閉自在に納めてある。障子２は、アルミ製の押出形材からなる左右の縦框２１及び上下の横框２２を四周框組みして内周部にガラスパネル２３を嵌め込んだものであり、室内側に設けたハンドル６を回すことで縦軸周りに回動し、全閉状態から図４において反時計回りに回転して室外側に開く。
【００１０】
そして、図１、図４及び図５に示すように、枠体１の右側の縦枠１１の内周側面（障子２の右側の縦框２１の外周側面と対向する面）には、上下に延びるレール３を設けてある。レール３は、断面略Ｃ字形で、内周側に向けて開口する溝状のものである。さらに、レール３には、上下に延びるスライドプレート４を摺動自在に納めてある。スライドプレート４は、アルミ製で、室内外方向の中央部が内周側に向けて突出する断面略凸形のものである。ただし、スライドプレート４には摺接部材５を取り付けてあって、摺接部材５がレール３に摺接するものであり、摺接部材５については後述する。
【００１１】
また、図１及び図５に示すように、スライドプレート４の下部には、操作ピン７を設けてある。操作ピン７は、左側（障子２側）に向けて突出するもので、スライドプレート４にネジ止めしてある。そして、右側の縦枠１１の下部には、レバー８を設けてある。レバー８は、スライドプレート４の室内側で左右方向に延びる軸により軸支されていて、室外側端部が、操作ピン７を受ける切欠状の操作ピン受部８１となっており、室内側端部が、室内側に突出する操作部８２となっている。操作部８２を下げると、操作ピン受部８１が操作ピン７を押し上げて、スライドプレート４が上昇し、操作部８２を上げると、操作ピン受部８１が操作ピンを押し下げて、スライドプレート４が下降する。
【００１２】
さらに、図１、図４及び図５に示すように、スライドプレート４の上部には、ロックピン受部９を設けてある。ロックピン受部９は、箱形のもので、スライドプレート４にネジ止めしてある。ロックピン受部９の内周側面には、上下に延びる溝部９１を形成してあり、さらに、ロックピン受部９の内周側面から室外側面にかけて、開口部９２を形成してある。開口部９２は、溝部９１の上端部と連通しており、室外側に向けて開口している。そして、図４に示すように、障子２の右側の縦框２１の外周側面には、ロックピン１０を設けてある。ロックピン１０は、右側（枠体１の右側の縦枠１１側）に向けて突出するもので、その高さ位置は、スライドプレート４が下端に位置するときの、ロックピン受部９の開口部９２の高さ位置と同じである。よって、スライドプレート４が下がった状態では、ロックピン１０がロックピン受部９の開口部９２を通るので、障子２が開閉自在となる。そして、障子２が全閉の状態でスライドプレート４を上げると、ロックピン１０がロックピン受部９の溝部９１の下部に嵌まって室内外方向に規制されるので、障子２がロックされた状態となる。すなわち、レバー８の操作部８２を上げると開放状態、下げると施錠状態となる。
【００１３】
続いて、スライドプレート４に取り付けた摺接部材５について詳述する。摺接部材５は、図１及び図５に示すように、スライドプレート４の上端及び下端とその中間に二つの計四つ取り付けてあり、上側二つの摺接部材５がロックピン受部９を上下から挟んでおり、下側二つの摺接部材５が操作ピン７を上下から挟んでいる。各摺接部材５は同じものであり、耐摩耗性及び摺動性が良いポリアセタール樹脂（ＰＯＭ）からなるものであって、図２に示すように、本体部５１と、表面側部５２からなる。本体部５１は、水平方向の断面形状が略凸形の中空形状で、凸部５５が表面側（レール３に挿入した際に露出する側であり、すなわち障子２側）を向いている。また、中空部がスライドプレート４を挿入する挿通部５３となっており、表面と背面にそれぞれ矩形の窓孔５６，５７を形成してあって、窓孔５６，５７は挿通部５３と連通している。そして、表面の窓孔５６の上側と下側の室外側寄りの位置には、窓孔５６の内周側に向けて突出する係合爪５８を設けてある。一方、表面側部５２は、本体部５１の表面の窓孔５６と同じ大きさの矩形平板状のものであって、その一辺が本体部５１の表面の窓孔５６の室内側辺に接合された状態で、本体部５１と一体成形されている。本体部５１と表面側部５２の接合部は肉薄になっており、窓孔５６に対して表面側部５２を扉のように開閉させることができる。そして、本体部５１と接合した辺の反対側辺の上下端部には、窓孔５６を閉じた際の表面側を切り欠いて、被係合凹部５９を形成してある。本体部５１の表面の窓孔５６に対して表面側部５２を閉じた際に、本体部５１の係合爪５８が表面側部５２の被係合凹部５９に係合して、表面側部５２がその状態で固定されるものであり、また係合を解除することも可能であって、表面側部５２が本体部５１の表側に係脱自在に設けられている。そして、表面側部５２を本体部５１に係合させることで、表面側部５２が本体部５１の表面の窓孔５６を覆って挿通部５３の側壁面の一部となるので、本体部５１と表面側部５２で挿通部５３が形成された状態となる。さらに、窓孔５６を閉じた状態における表面側部５２の裏面に、裏面側（枠体１の右側の縦枠１１側）に向けて突出する係合部５４を形成してある。
【００１４】
また、図６（ａ）に示すように、スライドプレート４の摺接部材５を取り付ける位置には、丸孔を形成して被係合部４１としてある。そして、組み立てる際には、まず、図６（ａ）に示すように、摺接部材５の挿通部５３にスライドプレート４を挿入して、摺接部材５をスライドプレート４の被係合部４１の位置に合わせる。次に、図６（ｂ）、（ｃ）に示すように、摺接部材５の表面側部５２の被係合凹部５９を本体部５１の係合爪５８に係合させて表面の窓孔５６を閉じ、摺接部材５の表面側部５２の係合部５４を、スライドプレート４の被係合部４１に嵌めて係合させる。これにより、摺接部材５はスライドプレート４の被係合部４１の位置に固定される。ただし、摺接部材５の係合部５４とスライドプレート４の被係合部４１の間にはクリアランスがあり、またスライドプレート４と摺接部材５の挿通部５３の間にもクリアランスがあるので、スライドプレート４に対して摺接部材５はある程度ガタツキがある状態で取り付けられる。次に、こうして摺接部材５を取り付けたスライドプレート４を、図６（ｃ）に示すように、縦枠１１のレール３に挿入する。すると、図６（ｄ）に示すように、本体部５１の凸部５５及び表面側部５２のみが、断面略Ｃ字形のレール３の開口部から内周側に突出し、摺接部材５のその他の部分がレール３内に納まる。これにより、摺接部材５がレール３に摺接し、スライドプレート４は、レール３と直接摺接することなく、レール３に摺動自在に納められる。
【００１５】
このように構成した本発明のサッシの第一実施形態によれば、スライドプレート４が摺接部材５を介してレール３に摺接しており、摺接部材５が摩耗しても、適宜交換して常に滑りが良い状態を維持できる。また、摺接部材５は、表面側部５２を本体部５１に係合させ、表面側部５２の係合部５４をスライドプレート４の被係合部４１に嵌めて係合させるだけで容易に取付可能である。そして、表面側部５２と本体部５１の係合を解除して、係合部５４を被係合部４１から抜けば、スライドプレート４から摺接部材５を取り外せるので、交換も容易である。さらに、スライドプレート４に対して摺接部材５がある程度ガタツキがある状態で取り付けられているので、複数の摺接部材５を設けた場合でもスライドプレート４がスムーズに摺動する（スライドプレート４に対して摺接部材５が完全に固定されていると、摺接部材５同士の僅かなズレによりスライドプレート４がスムーズに摺動しなくなる）。また、係合部５４を摺接部材５の表面側部５２に設けてあり、表面側部５２が断面略Ｃ字形のレール３の開口部から露出しているので、スライドプレート４をレール３に納めた状態で、表面側部５２を本体部５１から外して係合部５４をスライドプレート４の被係合部４１から抜き、摺接部材５だけを取り外すことができる。特に、枠体１側にレール３を設けてスライドプレート４を納めた場合、スライドプレート４をレール３から引き抜くことができないので、この構造により、摺接部材５のメンテナンスや交換を行うことができる。さらに、摺接部材５の本体部５１と表面側部５２が一体に形成されているので、部品点数を削減でき、取り扱いも容易である。また、スライドプレート４に摺接部材５を取り付けた状態において、本体部５１の係合爪５８が表面側部５２の被係合凹部５９に係合しているので、肉薄に形成された本体部５１と表面側部５２の接合部が破壊した場合でも、表面側部５２が脱落しない。
【００１６】
次に、このサッシの第二実施形態について示す。第二実施形態は、第一実施形態と比較して、摺接部材５の形状のみが異なるものであり、以下、摺接部材５についてのみ説明する。第二実施形態における摺接部材５は、図７に示すように、本体部５１と、表面側部５２からなる。本体部５１は、水平方向の断面形状が略凸形の中空形状で、凸部５５が表面側（レール３に挿入した際に露出する側であり、すなわち障子２側）を向いている。また、中空部がスライドプレート４を挿入する挿通部５３となっており、表面と背面にそれぞれ矩形の窓孔５６，５７を形成してあって、窓孔５６，５７は挿通部５３と連通している。そして、表面の窓孔５６の室内側と室外側には、それぞれ室内側と室外側に向けて突出する係合爪５８を設けてある。一方、表面側部５２は、水平方向の断面形状が裏面側（枠体１の右側の縦枠１１側）に向けて開口する略コ字形のものであって、両端部の内側に、被係合爪５９ａを形成してある。本体部５１の係合爪５８に表面側部５２の被係合爪５９ａを係合させることで、表面側部５２が本体部５１に固定されるものであり、また係合を解除することも可能であって、表面側部５２が本体部５１の表側に係脱自在に設けられている。そして、表面側部５２を本体部５１に係合させることで、表面側部５２が本体部５１の表面の窓孔５６を覆うので、本体部５１と表面側部５２で挿通部５３が形成された状態となる。さらに、本体部５１に取り付けた状態における表面側部５２の裏面に、裏面側に向けて突出する係合部５４を形成してある。
【００１７】
そして、組み立てる際には、まず、図８（ａ）に示すように、摺接部材５の挿通部５３にスライドプレート４を挿入して、摺接部材５をスライドプレート４の被係合部４１の位置に合わせる。次に、図８（ｂ）、（ｃ）に示すように、摺接部材５の表面側部５２の被係合爪５９ａを本体部５１の係合爪５８に係合させて表面の窓孔５６を覆い、摺接部材５の表面側部５２の係合部５４を、スライドプレート４の被係合部４１に嵌めて係合させる。これにより、摺接部材５はスライドプレート４の被係合部４１の位置に固定される。ただし、摺接部材５の係合部５４とスライドプレート４の被係合部４１の間にはクリアランスがあり、またスライドプレート４と摺接部材５の挿通部５３の間にもクリアランスがあるので、スライドプレート４に対して摺接部材５はある程度ガタツキがある状態で取り付けられる。次に、こうして摺接部材５を取り付けたスライドプレート４を、図８（ｃ）に示すように、縦枠１１のレール３に挿入する。すると、図８（ｄ）に示すように、本体部５１の凸部５５及び表面側部５２のみが、断面略Ｃ字形のレール３の開口部から内周側に突出し、摺接部材５のその他の部分がレール３内に納まる。これにより、摺接部材５がレール３に摺接し、スライドプレート４は、レール３と直接摺接することなく、レール３に摺動自在に納められる。
【００１８】
このように構成した本発明のサッシの第二実施形態によれば、スライドプレート４が摺接部材５を介してレール３に摺接しており、摺接部材５が摩耗しても、適宜交換して常に滑りが良い状態を維持できる。また、摺接部材５は、表面側部５２を本体部５１に係合させ、表面側部５２の係合部５４をスライドプレート４の被係合部４１に嵌めて係合させるだけで容易に取付可能である。そして、表面側部５２と本体部５１の係合を解除して、係合部５４を被係合部４１から抜けば、スライドプレート４から摺接部材５を取り外せるので、交換も容易である。さらに、スライドプレート４に対して摺接部材５がある程度ガタツキがある状態で取り付けられているので、複数の摺接部材５を設けた場合でもスライドプレート４がスムーズに摺動する。また、係合部５４を摺接部材５の表面側部５２に設けてあり、表面側部５２が断面略Ｃ字形のレール３の開口部から露出しているので、スライドプレート４をレール３に納めた状態で、表面側部５２を本体部５１から外して係合部５４をスライドプレート４の被係合部４１から抜き、摺接部材５だけを取り外すことができる。特に、枠体１側にレール３を設けてスライドプレート４を納めた場合、スライドプレート４をレール３から引き抜くことができないので、この構造により、摺接部材５のメンテナンスや交換を行うことができる。
【００１９】
次に、このサッシの第三実施形態について示す。第三実施形態は、第一実施形態と比較して、摺接部材５の形状のみが異なるものであり、以下、摺接部材５についてのみ説明する。第三実施形態における摺接部材５は、図９（ａ）の上面図に示すように、本体部５１と、表面側部５２からなる。本体部５１は、略平板形状で、中央部に矩形の窓孔５７を形成してあり、室内側端と室外側端には、それぞれ室内側と室外側に向けて突出する係合爪５８を設けてある。一方、表面側部５２は、水平方向の断面形状が凸字の下側の辺を除いた形状で、凸部５５が表面側（レール３に挿入した際に露出する側であり、すなわち障子２側）を向いており、両端部の内側に、被係合爪５９ａを形成してある。本体部５１の係合爪５８に表面側部５２の被係合爪５９ａを係合させることで、表面側部５２が本体部５１に固定されるものであり、また係合を解除することも可能であって、表面側部５２が本体部５１の表側に係脱自在に設けられている。そして、表面側部５２を本体部５１に係合させることで、摺接部材５全体で略凸形の中空形状となり、中空部がスライドプレート４を挿入する挿通部５３となるので、本体部５１と表面側部５２で挿通部５３が形成された状態となる。さらに、本体部５１に取り付けた状態における表面側部５２の裏面に、裏面側（枠体１の右側の縦枠１１側）に向けて突出する係合部５４を形成してある。
【００２０】
そして、組み立てる際には、図９（ｂ）及び（ｃ）に示すように、スライドプレート４の被係合部４１の位置に合わせて、摺接部材５の表面側部５２及び本体部５１をそれぞれ表裏から取り付け、表面側部５２の係合部５４をスライドプレート４の被係合部４１に嵌めて係合させつつ、本体部５１の係合爪５８に表面側部５２の被係合爪５９ａを係合させる。これにより、スライドプレート４が摺接部材５の挿通部５３に挿入された状態となって、摺接部材５はスライドプレート４の被係合部４１の位置に固定される。ただし、摺接部材５の係合部５４とスライドプレート４の被係合部４１の間にはクリアランスがあり、またスライドプレート４と摺接部材５の挿通部５３の間にもクリアランスがあるので、スライドプレート４に対して摺接部材５はある程度ガタツキがある状態で取り付けられる。そして、こうして摺接部材５を取り付けたスライドプレート４を縦枠１１のレール３に挿入することで、摺接部材５がレール３に摺接し、スライドプレート４は、レール３と直接摺接することなく、レール３に摺動自在に納められる。
【００２１】
このように構成した本発明のサッシの第三実施形態によれば、スライドプレート４が摺接部材５を介してレール３に摺接しており、摺接部材５が摩耗しても、適宜交換して常に滑りが良い状態を維持できる。また、摺接部材５は、表面側部５２を本体部５１に係合させ、表面側部５２の係合部５４をスライドプレート４の被係合部４１に嵌めて係合させるだけで容易に取付可能である。そして、表面側部５２と本体部５１の係合を解除して、係合部５４を被係合部４１から抜けば、スライドプレート４から摺接部材５を取り外せるので、交換も容易である。さらに、スライドプレート４に対して摺接部材５がある程度ガタツキがある状態で取り付けられているので、複数の摺接部材５を設けた場合でもスライドプレート４がスムーズに摺動する。
【００２２】
本発明は、上記の実施形態に限定されない。たとえば、摺接部材は、本体部に係合部を設けたものであってもよい。また、障子の枠体に対向する面にレールを設け、スライドプレートを納めたものであってもよい。さらに、スライドプレートに取り付ける摺接部材の数は、スライドプレートの長さや、その他スライドプレートに取り付ける部材などに応じて、適宜設定できる。また、本発明のレール、スライドプレート及び摺接部材からなる構造は、上記の縦すべり出し窓の他、内開きと内倒しの二種類の開閉機構を備えるドレーキップ窓などにも適用できる。
【符号の説明】
【００２３】
１  枠体
２  障子
３  レール
４  スライドプレート
５  摺接部材
４１  被係合部
５１  本体部
５２  表面側部
５３  挿通部
５４  係合部
【図１】
0006595862.tif 000002
【図２】
0006595862.tif 000003
【図３】
0006595862.tif 000004
【図４】
0006595862.tif 000005
【図５】
0006595862.tif 000006
【図６】
0006595862.tif 000007
【図７】
0006595862.tif 000008
【図８】
0006595862.tif 000009
【図９】
0006595862.tif 000010